(57)【要約】      （修正有）【課題】構造がより簡単で、全体的なサイズが小さいスキャン装置及び多機能プリンターを提供する。【解決手段】スキャン装置は、内部に収容空間１１が形成されるケーシング１０と、ケーシングの上表面に設けられ、自動紙送りスキャンエリア２１と静止紙文書スキャンエリア２２とを有するガラス載置台２０と、収容空間に設けられる接触式画像センサ３０と、自動紙送りスキャンエリアの上側に設けられ、載置された用紙を給送して自動紙送りスキャンエリアを通過させる給紙ユニット４０と、静止紙文書スキャンエリアの上側にピボット可能に設けられ、上表面に用紙載置部５１を有する上カバー５０と、を備える。用紙載置部が自動紙送りスキャンエリアの給紙側に隣接し、スキャン待ち載置された用紙をガイドして給紙ユニットに進入させる。【選択図】図１
0003225000.tif 000002
【実用新案登録請求の範囲】
【請求項１】
内部に収容空間が形成されるケーシングと、
前記ケーシングの上表面に設けられ、自動紙送りスキャンエリアと静止紙文書スキャンエリアとを有するガラス載置台と、
前記収容空間に設けられる接触式画像センサと、
前記自動紙送りスキャンエリアの上側に設けられ、載置された用紙を給送して前記自動紙送りスキャンエリアを通過させる給紙ユニットと、
前記静止紙文書スキャンエリアの上側にピボット可能に設けられ、上表面に用紙載置部を有する上カバーと、
を備え、
前記上カバーの枢軸の軸方向が前記給紙ユニットによって載置された用紙を給送する方向と垂直となり、
前記用紙載置部は、前記自動紙送りスキャンエリアの給紙側に隣接し、スキャン待ち載置された用紙をガイドして前記給紙ユニットに進入させる、
ことを特徴とする、
スキャン装置。
【請求項２】
前記接触式画像センサは、
センサアレイと、
前記センサアレイに接続される駆動モーターと、
前記駆動モーターに接続される駆動歯車と、
前記ケーシングに固定されるラックと、
を備え、
前記駆動歯車が前記駆動モーターと噛み合うことで、前記駆動モーターの駆動によって前記センサーアレイが前記収容空間内で移動することを特徴とする、
請求項１に記載のスキャン装置。
【請求項３】
前記給紙ユニットは、
給紙ユニットケースと、
前記給紙ユニットケースの内部に設けられ、前記自動紙送りスキャンエリア全体にわたる長さを有し、前記ガラス載置台と接触して載置された用紙を給送する給紙ローラーと、
紙送り経路の垂直方向に可撓性を有し、前記給紙ユニットケースに接続される固定端と、前記給紙ローラーと当接して載置された用紙をガイドする自由端とを有するガイド用板バネと、
前記給紙ローラーの給紙側に設けられ、進入した載置された用紙を感知するための紙送りセンサーと、
を備え、
前記紙送りセンサーが載置された用紙を感知した場合、前記給紙ローラーが起動して給紙を行うことを特徴とする、
請求項１に記載のスキャン装置。
【請求項４】
前記給紙ユニットは、前記自動紙送りスキャンエリアの上側にピボット可能に設けられることを特徴とする、請求項１に記載のスキャン装置。
【請求項５】
前記給紙ユニットの用紙排出側に用紙ガイドユニットとガイド板とがさらに設けられ、
前記用紙ガイドユニットは、前記自動紙送りスキャンエリアの用紙排出側に設けられた用紙排出ガイド突出部を有し、
前記用紙排出ガイド突出部は、前記自動紙送りスキャンエリアに向く傾斜面を有し、
前記ガイド板は、前記自動紙送りスキャンエリアの用紙排出側にピボット可能に設けられる、
ことを特徴とする、
請求項１に記載のスキャン装置。
【請求項６】
前記ガラス載置台のエッジは、前記ケーシングの一方の側壁に揃えられることを特徴とする、請求項１に記載のスキャン装置。
【請求項７】
ケーシングと、ガラス載置台と、接触式画像センサと、給紙ユニットと、上カバーと、プリントユニットとを備え、
前記ケーシングは、内部に収容空間が形成され、
前記ガラス載置台は、前記ケーシングの上表面に設けられ、自動紙送りスキャンエリアと静止紙文書スキャンエリアとを有し、
前記接触式画像センサは、前記収容空間に設けられ、
前記給紙ユニットは、前記自動紙送りスキャンエリアの上側にピボット可能に設けられ、載置された用紙を給送して前記自動紙送りスキャンエリアを通過させ、
前記上カバーは、前記静止紙文書スキャンエリアの上側にピボット可能に設けられ、その上表面に用紙載置部を有し、
前記上カバーの枢軸の軸方向が前記給紙ユニットによって載置された用紙を給送する方向と垂直となり、
前記用紙載置部が前記自動紙送りスキャンエリアの給紙側に隣接し、スキャン待ち載置された用紙をガイドして前記給紙ユニットに進入させ、
前記プリントユニットは、用紙カートリッジと、プリント素子と、前記用紙カートリッジと前記プリント素子とに接続される給紙素子とを有し、前記給紙素子を介してプリント待ち載置された用紙を前記用紙カートリッジから前記プリント素子に給送して印刷を行う、
ことを特徴とする、
多機能プリンター。
【請求項８】
前記接触式画像センサは、
センサアレイと、
前記センサアレイに接続される駆動モーターと、
前記駆動モーターに接続される駆動歯車と、
前記ケーシングに固定されるラックと、
を備え、
前記駆動歯車が前記駆動モーターと噛み合うことで、前記駆動モーターの駆動によって前記センサーアレイが前記収容空間内で移動することを特徴とする、
請求項７に記載の多機能プリンター。
【請求項９】
前記給紙ユニットは、
給紙ユニットケースと、
前記給紙ユニットケースの内部に設けられ、前記自動紙送りスキャンエリア全体にわたる長さを有し、前記ガラス載置台と接触して載置された用紙を給送する給紙ローラーと、
紙送り経路の垂直方向に可撓性を有し、前記給紙ユニットケースに接続される固定端と、前記給紙ローラーと当接して載置された用紙をガイドする自由端とを有するガイド用板バネと、
前記給紙ローラーの給紙側に設けられ、進入した載置された用紙を感知するための紙送りセンサーと、
を備え、
前記紙送りセンサーが載置された用紙を感知した場合、前記給紙ローラーが起動して給紙を行うことを特徴とする、
請求項７に記載の多機能プリンター。
【請求項１０】
前記給紙ユニットの用紙排出側に用紙ガイドユニットとガイド板とがさらに設けられ、
前記用紙ガイドユニットは、前記自動紙送りスキャンエリアの用紙排出側に設けられた用紙排出ガイド突出部を有し、
前記用紙排出ガイド突出部は、前記自動紙送りスキャンエリアに向く傾斜面を有し、
前記ガイド板は、前記自動紙送りスキャンエリアの用紙排出側にピボット可能に設けられ、
前記ガラス載置台のエッジは、前記ケーシングの一方の側壁に揃えられる、
ことを特徴とする、
請求項７に記載の多機能プリンター。
【考案の詳細な説明】
【技術分野】
【０００１】
本考案は、スキャン装置及び多機能プリンター、特に構造が簡単で、サイズが小さいスキャン装置及び多機能プリンターに関する。
【背景技術】
【０００２】
多機能プリンターとは、スキャン、コピー、プリント及びファックス等の複数の機能を有するプリント機である。そのため、多機能プリンターの構造において、少なくともスキャン装置及びプリント装置を有する。図７に示すように、よく多機能プリンターに使われている従来のスキャン装置は、フラット式スキャンユニット８０、及び前記フラット式スキャンユニット８０の上表面にピン接合される自動給紙ユニット８４を備える。前記フラット式スキャンユニット８０は、ガラス載置台８１、前記ガラス載置台８１の下方に設けられる接触式画像センサ８２  Ｃｏｎｔａｃｔ  Ｉｍａｇｅ  Ｓｅｎｓｏｒ（ＣＩＳ）、及び画像センサ移動モジュール８３を有する。前記自動給紙ユニット８４は、給紙ユニットのケーシング８５、前記給紙ユニットのケーシング８５の表面に設けられる給紙トレイ８６、前記給紙ユニットのケーシング８５の表面に設けられる用紙排出トレイ８７、及び前記給紙トレイ８６と前記用紙排出トレイ８７を接続される給紙経路８８を有する。そのうち、前記給紙経路８８は、スキャンセグメント８８ａ、及びそれぞれ前記スキャンセグメント８８ａの上流と下流に設けられる２つの紙送りローラー８９を有する。前記自動給紙ユニット８４は、前記紙送りローラー８９によって前記スキャンセグメント８８ａを通った用紙の平らさを保つ。前記スキャンセグメント８８ａの一部の壁面は、ガラス載置台８１からなる。そのため、文書を給送して前記スキャンセグメント８８ａを通過させる時に、前記ガラス載置台８１の下方に設けられる前記接触式画像センサ３０によって前記文書をスキャンする。
【０００３】
フラット式スキャンユニット８０は、主に１枚の文書、及び曲がりづらく前記給紙経路８８を通り難い文書、例えばカード、本、ハードＩＤカード等のスキャンに用いられる。前記自動給紙ユニット８４は、主に大量且つ同じサイズを有する文書のスキャンに用いられる。しかしながら、従来のスキャン装置は、それ自体の構造設計に限られるので、小型化し難い。そのため、構造がより簡単で、全体的なサイズが小さいスキャン装置及び多機能プリンターが求められている。
【考案の概要】
【考案が解決しようとする課題】
【０００４】
本考案の目的としては、スキャン装置及び多機能プリンター、特に構造がより簡単で、全体的なサイズが小さいスキャン装置及び多機能プリンターを提供することにある。
【課題を解決するための手段】
【０００５】
本考案のスキャン装置は、内部に収容空間が形成されるケーシングと、前記ケーシングの上表面に設けられ、自動紙送りスキャンエリアと静止紙文書スキャンエリアとを有するガラス載置台と、前記収容空間に設けられる接触式画像センサと、前記自動紙送りスキャンエリアの上側に設けられ、載置された用紙を給送して前記自動紙送りスキャンエリアを通過させる給紙ユニットと、前記静止紙文書スキャンエリアの上側にピボット可能に設けられ、枢軸の軸方向が前記給紙ユニットによって載置された用紙を給送する方向と垂直となり、上表面に用紙載置部を有する上カバーと、を備える。そのうち、前記用紙載置部は前記自動紙送りスキャンエリアの給紙側に隣接し、スキャン待ち載置された用紙をガイドして前記給紙ユニットに進入させる。
【０００６】
好ましい実施例において、前記接触式画像センサは、センサアレイと、前記センサアレイに接続される駆動モーターと、前記駆動モーターに接続される駆動歯車と、前記ケーシングに固定されるラックと、を備える。そのうち、前記駆動歯車が前記駆動モーターと噛み合うことで、前記駆動モーターの駆動によって前記センサーアレイが前記収容空間内で移動する。
【０００７】
好ましい実施例において、前記給紙ユニットは、給紙ユニットケースと、前記給紙ユニットケースの内部に設けられ、前記自動紙送りスキャンエリア全体にわたる長さを有し、前記ガラス載置台と接触して載置された用紙を給送する給紙ローラーと、紙送り経路の垂直方向に可撓性を有し、前記給紙ユニットケースに接続される固定端と、前記給紙ローラーと当接して載置された用紙をガイドする自由端とを有するガイド用板バネと、前記給紙ローラーの給紙側に設けられ、進入した載置された用紙を感知するための紙送りセンサーと、を備える。そのうち、前記紙送りセンサーが載置された用紙を感知した場合、前記給紙ローラーが起動して給紙を行う。
【０００８】
好ましい実施例において、前記給紙ユニットは、前記自動紙送りスキャンエリアの上側にピボット可能に設けられる。
【０００９】
好ましい実施例において、前記給紙ユニットの用紙排出側に用紙ガイドユニットとガイド板とがさらに設けられる。前記用紙ガイドユニットは、前記自動紙送りスキャンエリアの用紙排出側に設けられた用紙排出ガイド突出部を有する。前記用紙排出ガイド突出部は、前記自動紙送りスキャンエリアに向く傾斜面を有する。前記ガイド板は、前記自動紙送りスキャンエリアの用紙排出側にピボット可能に設けられる。
【００１０】
好ましい実施例において、前記ガラス載置台のエッジは、前記ケーシングの一方の側壁に揃えられる。
【００１１】
また、本考案の多機能プリンターは、ケーシングと、ガラス載置台と、接触式画像センサと、給紙ユニットと、上カバーと、プリントユニットとを備える。前記ケーシングは、内部に収容空間が形成される。前記ガラス載置台は、前記ケーシングの上表面に設けられ、自動紙送りスキャンエリアと静止紙文書スキャンエリアとを有する。前記接触式画像センサは、前記収容空間に設けられる。前記給紙ユニットは、前記自動紙送りスキャンエリアの上側にピボット可能に設けられ、載置された用紙を給送して前記自動紙送りスキャンエリアを通過させる。前記上カバーは、前記静止紙文書スキャンエリアの上側にピボット可能に設けられ、その上表面に用紙載置部を有する。前記上カバーの枢軸の軸方向は前記給紙ユニットによって載置された用紙を給送する方向と垂直となる。前記用紙載置部が前記自動紙送りスキャンエリアの給紙側に隣接し、スキャン待ち載置された用紙をガイドして前記給紙ユニットに進入させる。前記プリントユニットは、用紙カートリッジと、プリント素子と、前記用紙カートリッジと前記プリント素子とに接続される給紙素子とを有し、前記給紙素子を介してプリント待ち載置された用紙を前記用紙カートリッジから前記プリント素子に給送して印刷を行う。
【００１２】
好ましい実施例において、前記接触式画像センサは、センサアレイと、前記センサアレイに接続される駆動モーターと、前記駆動モーターに接続される駆動歯車と、前記ケーシングに固定されるラックと、を備える。そのうち、前記駆動歯車が前記駆動モーターと噛み合うことで、前記駆動モーターの駆動によって前記センサーアレイが前記収容空間内で移動する。
【００１３】
好ましい実施例において、前記給紙ユニットの用紙排出側に用紙ガイドユニットとガイド板とがさらに設けられる。前記用紙ガイドユニットは、前記自動紙送りスキャンエリアの用紙排出側に設けられた用紙排出ガイド突出部を有する。前記用紙排出ガイド突出部は、前記自動紙送りスキャンエリアに向く傾斜面を有する。前記ガイド板は、前記自動紙送りスキャンエリアの用紙排出側にピボット可能に設けられる。
【００１４】
好ましい実施例において、前記ガラス載置台のエッジは、前記ケーシングの一方の側壁に揃えられる。
【考案の効果】
【００１５】
本考案によると、特に構造がより簡単で、全体的なサイズが小さい。
【図面の簡単な説明】
【００１６】
【図１】本考案のスキャン装置を示す分解図である。
【図２】本考案のスキャン装置を示す断面図である。
【図３】本考案の多機能プリンターを示す断面図である。
【図４】本考案のスキャン装置によって自動紙送りスキャンを行う模式図である。
【図５】本考案のスキャン装置によって静止紙文書スキャンを行う模式図である。
【図６】本考案のスキャン装置によって本のスキャンを行う模式図である。
【図７】従来の多機能プリンターを示す図である。
【考案を実施するための形態】
【００１７】
以下、実施形態及び図面を参照しながら本考案の技術的な内容、構造的な特徴、目的及び効果を詳しく説明する。
【００１８】
図１及び図２を参照しながら説明する。本考案のスキャン装置は、ケーシング１０、ガラス載置台２０、接触式画像センサ３０、給紙ユニット４０、上カバー５０、及び用紙ガイドユニット６０を備える。そのうち、前記ケーシング１０は、内部に収容空間１１を形成する。前記ガラス載置台２０は、前記ケーシング１０の上表面に設けられ、自動紙送りスキャンエリア２１及び静止紙文書スキャンエリア２２を有する。前記接触式画像センサ３０は、前記収容空間１１に設けられ、載置された用紙をスキャンするために用いられる。前記給紙ユニット４０は、前記自動紙送りスキャンエリア２１の上側に設けられ、載置された用紙を給送して前記自動紙送りスキャンエリア２１を通過させる。前記上カバー５０は、前記静止紙文書スキャンエリア２２の上側にピボット可能に設けられ、上表面に用紙載置部５１を有する。前記用紙載置部５１が前記自動紙送りスキャンエリア２１の給紙側に隣接し、スキャン待ち載置された用紙をガイドして前記給紙ユニット４０に進入させる。前記用紙ガイドユニット６０は、前記給紙ユニット４０の用紙排出側に設けられ、スキャン済の載置された用紙をガイドするために用いられる。
【００１９】
本考案において、互いに分離する前記給紙ユニット４０、前記上カバー５０及び前記用紙ガイドユニット６０を設けることで、自動紙送り機能を保ったまま、前記スキャン装置の簡単化、及びサイズの小型化を達成できる。
【００２０】
図に示す好ましい実施例において、前記接触式画像センサ３０は、センサアレイ３１と、前記センサアレイ３１と接続される駆動モーター（図示せず）と、前記駆動モーター（図示せず）に接続される駆動歯車３２と、前記ケーシング１０に固定されるラック３３とを備える。そのうち、前記駆動歯車３２が前記駆動モーター（図示せず）と噛み合う。それによって、前記駆動モーター（図示せず）が動作している場合、その駆動によって前記収容空間１１内で前記センサーアレイが移動する。
【００２１】
前記給紙ユニット４０は、前記自動紙送りスキャンエリア２１の上側にピボット可能に設けられることで、紙詰まり等の異常な状況が生じた場合に容易に排除できる。また、本実施例において、前記給紙ユニット４０は、給紙ユニットケース４１、給紙ローラー４２、ガイド用板バネ４３、及び紙送りセンサー４４を備える。前記給紙ローラー４２は、前記自動紙送りスキャンエリア２１全体にわたる長さを有し、前記給紙ユニットケース４１の内部に設けられて前記ガラス載置台２０と当接する。それによって、載置された用紙を給送して前記自動紙送りスキャンエリア２１を通過させることができる。１つの給紙ローラー４２によって用紙を平らに給送するために、前記ガイド用板バネ４３は、紙送り経路の垂直方向に可撓性を有することで、前記給紙ローラー４２の表面形状に沿って変形できる。前記ガイド用板バネ４３は、前記給紙ユニット４０の給紙側に設けられて、前記給紙ユニットケース４１と接続される固定端４３ａ及び自由端４３ｂを有する。前記自由端４３ｂが前記給紙ローラー４２と当接して載置された用紙をガイドする。前記紙送りセンサー４４は、同じように前記給紙ローラー４２の給紙側に設けられて、進入した載置された用紙を感知する。そのうち、前記紙送りセンサー４４が載置された用紙を感知した場合、前記給紙ローラー４２が起動する。
【００２２】
前記用紙ガイドユニット６０は、用紙排出ガイド突出部６２及びガイド板６１を有する。前記用紙排出ガイド突出部６２は、前記自動紙送りスキャンエリア２１の用紙排出側に設けられ、前記自動紙送りスキャンエリア２１に向く傾斜面６２ａを有する。前記ガイド板６１は、前記自動紙送りスキャンエリア２１の用紙排出側にピボット可能に設けられる。前記用紙排出ガイド突出部６２と前記ガイド版の組み合わせによって、載置された用紙が前記自動紙送りスキャンエリア２１に給送した後の移動方向を変更できるため、載置された用紙の回収に有利である。
【００２３】
前記好ましい実施例において、前記ケーシング１０は、前記上カバー５０の枢軸５２から離れる側壁１２に載置傾斜面１３を有する。前記載置傾斜面１３は、前記ガラス載置台２０のエッジ２３に揃えられて、スキャンの死角を減少できる。
【００２４】
図３を参照しながら説明する。本考案の多機能プリンターは、上記スキャン装置及びプリントユニット７０を備える。前記プリントユニット７０は、用紙カートリッジ７１と、プリント素子７３と、前記用紙カートリッジ７１と前記プリント素子７３とに接続される給紙素子７２とを有する。前記給紙素子７２を介してプリント待ち載置された用紙を前記用紙カートリッジ７１から前記プリント素子７３に給送して印刷を行う。そのうち、前記スキャン装置は、前記プリントユニット７０の上方に設けられる。また、前記スキャン装置及び前記プリントユニット７０の寸法は載置された用紙のサイズ制限よりも大きくなければならない。そのため、前記給紙ユニット４０の給紙方向と前記給紙素子７２の給紙方向、即ち、用紙の向きを平行にして、前記スキャン装置及び前記プリントユニット７０のサイズ制限を一致させる。
【００２５】
図４を参考しながら説明する。図４において、本考案のスキャン装置によって自動紙送りスキャンを行う状態を示す。
【００２６】
図５を参考しながら説明する。本考案のスキャン装置によって静止紙文書スキャンを行う場合、載置された用紙を前記静止紙文書スキャンエリア２２に置いた後、前記駆動モーター（図示せず）、駆動歯車３２及びラック３３の連動によって、前記センサーアレイを駆動して前記静止紙文書スキャンエリア２２を通過させると同時に、前記載置された用紙の画像データを得る。
【００２７】
図６を参考しながら説明する。本考案のスキャン装置によって本のスキャンを行う場合、前記載置傾斜面１３の設計によって、本の配置位置をより前記静止紙文書スキャンエリア２２に近くすることで、スキャンの死角を減少できる。
【符号の説明】
【００２８】
１０  ケーシング
１１  収容空間
１２  側壁
１３  載置傾斜面
２０  ガラス載置台
２１  自動紙送りスキャンエリア
２２  静止紙文書スキャンエリア
２３  エッジ
３０  接触式画像センサ
３１  センサアレイ
３２  駆動歯車
３３  ラック
４０  給紙ユニット
４１  給紙ユニットケース
４２  給紙ローラー
４３  ガイド用板バネ
４３ａ  固定端
４３ｂ  自由端
４４  紙送りセンサー
５０  上カバー
５１  用紙載置部
５２  枢軸
６０  用紙ガイドユニット
６１  ガイド板
６２  用紙排出ガイド突出部
６２ａ  傾斜面
７０  プリントユニット
７１  用紙カートリッジ
７２  給紙素子
７３  プリント素子
８０  フラット式スキャンユニット
８１  ガラス載置台
８２  接触式画像センサ
８３  画像センサ移動モジュール
８４  自動給紙ユニット
８５  給紙ユニットのケーシング
８６  給紙トレイ
８７  用紙排出トレイ
８８  給紙経路
８８ａ  スキャンセグメント
８９  紙送りローラー
【図１】
0003225000.tif 000003
【図２】
0003225000.tif 000004
【図３】
0003225000.tif 000005
【図４】
0003225000.tif 000006
【図５】
0003225000.tif 000007
【図６】
0003225000.tif 000008
【図７】
0003225000.tif 000009